【手続補正書】
【提出日】平成29年3月28日(2017.3.28)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
アンライセンススペクトル上での過去の送信アクティビティをアクティビティ閾値と比較することと、ここにおいて、前記アクティビティ閾値は、
時間期間における前記アンライセンススペクトル中のオンにゲーティングされた期間の数と、時間期間における前記アンライセンススペクトル中のいくつかの数のオンにゲーティングされた期間の継続時間と、時間期間中に前記アンライセンススペクトルにおいて送信される同期（ＳＹＮＣ）サブフレームの数と、
のうちの１つまたは複数を備え、
前記過去の送信アクティビティが前記アクティビティ閾値より大きいとき、次のアクティブな送信の間に前記アンライセンススペクトルにおいて第１のサブフレームタイプを送信することと、
前記過去の送信アクティビティが前記アクティビティ閾値より小さいとき、次のアクティブな送信の間に前記アンライセンススペクトルにおいて第２のサブフレームタイプを送信することと、
を備え、前記第２のサブフレームタイプは前記第１のサブフレームタイプより多くのパイロットを備える、方法。
【請求項２】
前記第１のサブフレームタイプはレガシーキャリアタイプ（ＬＣＴ）サブフレームを備える、請求項１に記載の方法。
【請求項３】
前記第１のサブフレームタイプはニューキャリアタイプ（ＮＣＴ）サブフレームを備える、請求項１に記載の方法。
【請求項４】
前記第２のサブフレームタイプは、前記第１のサブフレームタイプと比較して、追加された共通パイロットを備えるレガシーキャリアタイプ（ＬＣＴ）サブフレームを備え、前記追加された共通パイロットは、追跡およびチャネル推定のために使用される、請求項１に記載の方法。
【請求項５】
前記第２のサブフレームタイプは、前記第１のサブフレームタイプと比較して、追加された共通パイロットを備えるニューキャリアタイプ（ＮＣＴ）サブフレームを備え、前記追加された共通パイロットは、追跡およびチャネル推定のために使用される、請求項１に記載の方法。
【請求項６】
所定の数の前記第２のサブフレームタイプの送信が識別された後で、前記アンライセンススペクトルにおいて前記第１のサブフレームタイプを送信することをさらに備える、請求項１に記載の方法。
【請求項７】
少なくとも前記第１のサブフレームタイプを前記送信することおよび前記第２のサブフレームタイプを前記送信することは、進化型ノードＢ（ｅＮＢ）によって実行される、請求項１に記載の方法。
【請求項８】
ワイヤレス通信のための装置であって、
アンライセンススペクトル上での過去の送信アクティビティをアクティビティ閾値と比較するための手段と、ここにおいて、前記アクティビティ閾値は、
時間期間における前記アンライセンススペクトル中のオンにゲーティングされた期間の数と、時間期間における前記アンライセンススペクトル中のいくつかの数のオンにゲーティングされた期間の継続時間と、時間期間中に前記アンライセンススペクトルにおいて送信される同期（ＳＹＮＣ）サブフレームの数と、
のうちの１つまたは複数を備え、
前記過去の送信アクティビティが前記アクティビティ閾値より大きいとき、次のアクティブな送信の間に前記アンライセンススペクトルにおいて第１のサブフレームタイプを送信するための手段と、
前記過去の送信アクティビティが前記アクティビティ閾値より小さいとき、次のアクティブな送信の間に前記アンライセンススペクトルにおいて第２のサブフレームタイプを送信するための手段と、
を備え、前記第２のサブフレームタイプは前記第１のサブフレームタイプより多くのパイロットを備える、装置。
【請求項９】
前記第１のサブフレームタイプはレガシーキャリアタイプ（ＬＣＴ）サブフレームを備える、請求項８に記載の装置。
【請求項１０】
前記第１のサブフレームタイプはニューキャリアタイプ（ＮＣＴ）サブフレームを備える、請求項８に記載の装置。
【請求項１１】
前記第２のサブフレームタイプは、前記第１のサブフレームタイプと比較して、追加された共通パイロットを備えるレガシーキャリアタイプ（ＬＣＴ）サブフレームを備え、前記追加された共通パイロットは、追跡およびチャネル推定のために使用される、請求項８に記載の装置。
【請求項１２】
前記第２のサブフレームタイプは、前記第１のサブフレームタイプと比較して、追加された共通パイロットを備えるニューキャリアタイプ（ＮＣＴ）サブフレームを備え、前記追加された共通パイロットは、追跡およびチャネル推定のために使用される、請求項８に記載の装置。
【請求項１３】
所定の数の前記第２のサブフレームタイプの送信が識別された後で、前記アンライセンススペクトルにおいて前記第１のサブフレームタイプを送信するための手段をさらに備える、請求項８に記載の装置。
【請求項１４】
前記装置は進化型ノードＢ（ｅＮＢ）を備え、前記ｅＮＢは、少なくとも前記第１のサブフレームタイプを送信するための前記手段と前記第２のサブフレームタイプを送信するための前記手段とを備える、請求項８に記載の装置。
【請求項１５】
ワイヤレス通信のための装置であって、
プロセッサと、
前記プロセッサと電気的に通信しているメモリと、
前記メモリに記憶された命令と、
を備え、前記命令は、
アンライセンススペクトル上での過去の送信アクティビティをアクティビティ閾値と比較し、ここにおいて、前記アクティビティ閾値は、
時間期間における前記アンライセンススペクトル中のオンにゲーティングされた期間の数と、時間期間における前記アンライセンススペクトル中のいくつか数のオンにゲーティングされた期間の継続時間と、時間期間中に前記アンライセンススペクトルにおいて送信される同期（ＳＹＮＣ）サブフレームの数と、
のうちの１つまたは複数を備え、
前記過去の送信アクティビティが前記アクティビティ閾値より大きいとき、次のアクティブな送信の間に前記アンライセンススペクトルにおいて第１のサブフレームタイプを送信し、
前記過去の送信アクティビティが前記アクティビティ閾値より小さいとき、次のアクティブな送信の間に前記アンライセンススペクトルにおいて第２のサブフレームタイプを送信するように、
前記プロセッサによって実行可能であり、前記第２のサブフレームタイプは前記第１のサブフレームタイプより多くのパイロットを備える、装置。
【請求項１６】
前記第１のサブフレームタイプはレガシーキャリアタイプ（ＬＣＴ）サブフレームを備える、請求項１５に記載の装置。
【請求項１７】
前記第１のサブフレームタイプはニューキャリアタイプ（ＮＣＴ）サブフレームを備える、請求項１５に記載の装置。
【請求項１８】
前記第２のサブフレームタイプは、前記第１のサブフレームタイプと比較して、追加された共通パイロットを備えるレガシーキャリアタイプ（ＬＣＴ）サブフレームを備え、前記追加された共通パイロットは、追跡およびチャネル推定のために使用される、請求項１５に記載の装置。
【請求項１９】
前記第２のサブフレームタイプは、前記第１のサブフレームタイプと比較して、追加された共通パイロットを備えるニューキャリアタイプ（ＮＣＴ）サブフレームを備え、前記追加された共通パイロットは、追跡およびチャネル推定のために使用される、請求項１５に記載の装置。
【請求項２０】
前記命令は、
所定の数の前記第２のサブフレームタイプの送信が識別された後で、前記アンライセンススペクトルにおいて前記第１のサブフレームタイプを送信するように、前記プロセッサによって実行可能である、請求項１５に記載の装置。
【請求項２１】
前記プロセッサは進化型ノードＢ（ｅＮＢ）のプロセッサを備える、請求項１５に記載の装置。
【請求項２２】
ワイヤレス通信システムにおけるワイヤレス通信装置による通信のためのコンピュータプログラム製品であって、前記ワイヤレス通信装置に、
アンライセンススペクトル上での過去の送信アクティビティをアクティビティ閾値と比較させ、ここにおいて、前記アクティビティ閾値は、
時間期間における前記アンライセンススペクトル中のオンにゲーティングされた期間の数と、時間期間における前記アンライセンススペクトル中のいくつかの数のオンにゲーティングされた期間の継続時間と、時間期間中に前記アンライセンススペクトルにおいて送信される同期（ＳＹＮＣ）サブフレームの数と、
のうちの１つまたは複数を備え、
前記過去の送信アクティビティが前記アクティビティ閾値より大きいとき、次のアクティブな送信の間に前記アンライセンススペクトルにおいて第１のサブフレームタイプを送信させ、
前記過去の送信アクティビティが前記アクティビティ閾値より小さいとき、次のアクティブな送信の間に前記アンライセンススペクトルにおいて第２のサブフレームタイプを送信させるように、
プロセッサによって実行可能な命令を記憶した、非一時的コンピュータ可読媒体を備え、前記第２のサブフレームタイプは前記第１のサブフレームタイプより多くのパイロットを備える、コンピュータプログラム製品。
【請求項２３】
前記第２のサブフレームタイプは、前記第１のサブフレームタイプと比較して、追加された共通パイロットを備えるレガシーキャリアタイプ（ＬＣＴ）サブフレームを備え、前記追加された共通パイロットは、追跡およびチャネル推定のために使用される、請求項２２に記載のコンピュータプログラム製品。
【請求項２４】
前記第２のサブフレームタイプは、前記第１のサブフレームタイプと比較して、追加された共通パイロットを備えるニューキャリアタイプ（ＮＣＴ）サブフレームを備え、前記追加された共通パイロットは、追跡およびチャネル推定のために使用される、請求項２２に記載のコンピュータプログラム製品。
【請求項２５】
前記命令は、
所定の数の前記第２のサブフレームタイプの送信が識別された後で、前記アンライセンススペクトルにおいて前記第１のサブフレームタイプを送信するように、前記プロセッサによって実行可能である、請求項２２に記載のコンピュータプログラム製品。
【手続補正２】
【補正対象書類名】明細書
【補正対象項目名】０２８６
【補正方法】変更
【補正の内容】
【０２８６】
[0341]本開示のこれまでの説明は、当業者が本開示を構成または使用することを可能にするために与えられる。本開示への様々な修正が当業者には容易に明らかであり、本明細書で定義された一般的な原理は、本開示の趣旨または範囲から逸脱することなく他の変形形態に適用され得る。本開示全体にわたって、「例」または「例示的」という用語は、例または事例を示すものであり、述べられた例に対する選好を何ら暗示せず、または要求しない。したがって、本開示は、本明細書で説明された例および設計に限定されるべきでなく、本明細書で開示される原理および新規の特徴に合致する最も広い範囲を与えられるべきである。
以下に、本願出願の当初の特許請求の範囲に記載された発明を付記する。
［Ｃ１］
ワイヤレス通信のための方法であって、
アンライセンススペクトル上での過去の送信アクティビティをアクティビティ閾値と比較することと、
前記過去の送信アクティビティが前記アクティビティ閾値より大きいとき、次のアクティブな送信の間に前記アンライセンススペクトルにおいて第１のサブフレームタイプを送信することと、
前記過去の送信アクティビティが前記アクティビティ閾値より小さいとき、次のアクティブな送信の間に前記アンライセンススペクトルにおいて第２のサブフレームタイプを送信することと、
を備え、前記第２のサブフレームタイプは前記第１のサブフレームタイプよりロバストなサブフレームタイプを備える、方法。
［Ｃ２］
前記第１のサブフレームタイプはレガシーキャリアタイプ（ＬＣＴ）サブフレームを備える、Ｃ１に記載の方法。
［Ｃ３］
前記第１のサブフレームタイプはニューキャリアタイプ（ＮＣＴ）サブフレームを備える、Ｃ１に記載の方法。
［Ｃ４］
前記第２のサブフレームタイプは、前記第１のサブフレームタイプと比較して、追跡およびチャネル推定のための追加の共通パイロットをもつレガシーキャリアタイプ（ＬＣＴ）サブフレームを備える、Ｃ１に記載の方法。
［Ｃ５］
前記第２のサブフレームタイプは、前記第１のサブフレームタイプと比較して、追跡およびチャネル推定のための追加の共通パイロットをもつニューキャリアタイプ（ＮＣＴ）サブフレームを備える、Ｃ１に記載の方法。
［Ｃ６］
所定の数の前記第２のサブフレームタイプの送信が識別された後で、前記アンライセンススペクトルにおいて前記第１のサブフレームタイプを送信することをさらに備える、Ｃ１に記載の方法。
［Ｃ７］
前記アクティビティ閾値は、ある時間期間にわたる前記アンライセンススペクトル中のオンにゲーティングされた期間の数を備える、Ｃ１に記載の方法。
［Ｃ８］
前記アクティビティ閾値は、ある時間期間にわたる前記アンライセンススペクトル中のいくつかのオンにゲーティングされた期間の継続時間を備える、Ｃ１に記載の方法。
［Ｃ９］
前記アクティビティ閾値は、ある時間期間にわたって前記アンライセンススペクトルにおいて送信される同期（ＳＹＮＣ）サブフレームの数を備える、Ｃ１に記載の方法。
［Ｃ１０］
少なくとも前記第１のサブフレームを前記送信することおよび前記第２のサブフレームを前記送信することは、進化型ノードＢ（ｅＮＢ）によって実行される、Ｃ１に記載の方法。
［Ｃ１１］
ワイヤレス通信のための装置であって、
アンライセンススペクトル上での過去の送信アクティビティをアクティビティ閾値と比較するための手段と、
前記過去の送信アクティビティが前記アクティビティ閾値より大きいとき、次のアクティブな送信の間に前記アンライセンススペクトルにおいて第１のサブフレームタイプを送信するための手段と、
前記過去の送信アクティビティが前記アクティビティ閾値より小さいとき、次のアクティブな送信の間に前記アンライセンススペクトルにおいて第２のサブフレームタイプを送信するための手段と、
を備え、前記第２のサブフレームタイプは前記第１のサブフレームタイプよりロバストなサブフレームタイプを備える、装置。
［Ｃ１２］
前記第１のサブフレームタイプはレガシーキャリアタイプ（ＬＣＴ）サブフレームを備える、Ｃ１１に記載の装置。
［Ｃ１３］
前記第１のサブフレームタイプはニューキャリアタイプ（ＮＣＴ）サブフレームを備える、Ｃ１１に記載の装置。
［Ｃ１４］
前記第２のサブフレームタイプは、前記第１のサブフレームタイプと比較して、追跡およびチャネル推定のための追加の共通パイロットをもつレガシーキャリアタイプ（ＬＣＴ）サブフレームを備える、Ｃ１１に記載の装置。
［Ｃ１５］
前記第２のサブフレームタイプは、前記第１のサブフレームタイプと比較して、追跡およびチャネル推定のための追加の共通パイロットをもつニューキャリアタイプ（ＮＣＴ）サブフレームを備える、Ｃ１１に記載の装置。
［Ｃ１６］
所定の数の前記第２のサブフレームタイプの送信が識別された後で、前記アンライセンススペクトルにおいて前記第１のサブフレームタイプを送信するための手段をさらに備える、Ｃ１１に記載の装置。
［Ｃ１７］
前記アクティビティ閾値は、ある時間期間にわたる前記アンライセンススペクトル中のオンにゲーティングされた期間の数を備える、Ｃ１１に記載の装置。
［Ｃ１８］
前記アクティビティ閾値は、ある時間期間にわたる前記アンライセンススペクトル中のいくつかのオンにゲーティングされた期間の継続時間を備える、Ｃ１１に記載の装置。
［Ｃ１９］
前記アクティビティ閾値は、ある時間期間にわたって前記アンライセンススペクトルにおいて送信される同期（ＳＹＮＣ）サブフレームの数を備える、Ｃ１１に記載の装置。
［Ｃ２０］
前記装置は進化型ノードＢ（ｅＮＢ）を備え、前記ｅＮＢは、少なくとも前記第１のサブフレームを送信するための前記手段と前記第２のサブフレームを送信するための前記手段とを備える、Ｃ１１に記載の装置。
［Ｃ２１］
ワイヤレス通信のための装置であって、
プロセッサと、
前記プロセッサと電気的に通信しているメモリと、
前記メモリに記憶された命令と、
を備え、前記命令は、
アンライセンススペクトル上での過去の送信アクティビティをアクティビティ閾値と比較し、
前記過去の送信アクティビティが前記アクティビティ閾値より大きいとき、次のアクティブな送信の間に前記アンライセンススペクトルにおいて第１のサブフレームタイプを送信し、
前記過去の送信アクティビティが前記アクティビティ閾値より小さいとき、次のアクティブな送信の間に前記アンライセンススペクトルにおいて第２のサブフレームタイプを送信するように、
前記プロセッサによって実行可能であり、前記第２のサブフレームタイプは前記第１のサブフレームタイプよりロバストなサブフレームタイプを備える、装置。
［Ｃ２２］
前記第１のサブフレームタイプはレガシーキャリアタイプ（ＬＣＴ）サブフレームを備える、Ｃ２１に記載の装置。
［Ｃ２３］
前記第１のサブフレームタイプはニューキャリアタイプ（ＮＣＴ）サブフレームを備える、Ｃ２１に記載の装置。
［Ｃ２４］
前記第２のサブフレームタイプは、前記第１のサブフレームタイプと比較して、追跡およびチャネル推定のための追加の共通パイロットをもつレガシーキャリアタイプ（ＬＣＴ）サブフレームを備える、Ｃ２１に記載の装置。
［Ｃ２５］
前記第２のサブフレームタイプは、前記第１のサブフレームタイプと比較して、追跡およびチャネル推定のための追加の共通パイロットをもつニューキャリアタイプ（ＮＣＴ）サブフレームを備える、Ｃ２１に記載の装置。
［Ｃ２６］
前記命令は、
所定の数の前記第２のサブフレームタイプの送信が識別された後で、前記アンライセンススペクトルにおいて前記第１のサブフレームタイプを送信するように、前記プロセッサによって実行可能である、Ｃ２１に記載の装置。
［Ｃ２７］
前記アクティビティ閾値は、ある時間期間にわたる前記アンライセンススペクトル中のオンにゲーティングされた期間の数を備える、Ｃ２１に記載の装置。
［Ｃ２８］
前記アクティビティ閾値は、ある時間期間にわたる前記アンライセンススペクトル中のいくつかのオンにゲーティングされた期間の継続時間を備える、Ｃ２１に記載の装置。
［Ｃ２９］
前記アクティビティ閾値は、ある時間期間にわたって前記アンライセンススペクトルにおいて送信される同期（ＳＹＮＣ）サブフレームの数を備える、Ｃ２１に記載の装置。
［Ｃ３０］
前記プロセッサは進化型ノードＢ（ｅＮＢ）のプロセッサを備える、Ｃ２１に記載の装置。
［Ｃ３１］
ワイヤレス通信システムにおけるワイヤレス通信装置による通信のためのコンピュータプログラム製品であって、前記ワイヤレス通信装置に、
アンライセンススペクトル上での過去の送信アクティビティをアクティビティ閾値と比較させ、
前記過去の送信アクティビティが前記アクティビティ閾値より大きいとき、次のアクティブな送信の間に前記アンライセンススペクトルにおいて第１のサブフレームタイプを送信させ、
前記過去の送信アクティビティが前記アクティビティ閾値より小さいとき、次のアクティブな送信の間に前記アンライセンススペクトルにおいて第２のサブフレームタイプを送信させるように、
プロセッサによって実行可能な命令を記憶した、非一時的コンピュータ可読媒体を備え、前記第２のサブフレームタイプは前記第１のサブフレームタイプよりロバストなサブフレームタイプを備える、コンピュータプログラム製品。
［Ｃ３２］
前記第２のサブフレームタイプは、前記第１のサブフレームタイプと比較して、追跡およびチャネル推定のための追加の共通パイロットをもつレガシーキャリアタイプ（ＬＣＴ）サブフレームを備える、Ｃ３１に記載のコンピュータプログラム製品。
［Ｃ３３］
前記第２のサブフレームタイプは、前記第１のサブフレームタイプと比較して、追跡およびチャネル推定のための追加の共通パイロットをもつニューキャリアタイプ（ＮＣＴ）サブフレームを備える、Ｃ３１に記載のコンピュータプログラム製品。
［Ｃ３４］
前記命令は、
所定の数の前記第２のサブフレームタイプの送信が識別された後で、前記アンライセンススペクトルにおいて前記第１のサブフレームタイプを送信するように、前記プロセッサによって実行可能である、Ｃ３１に記載のコンピュータプログラム製品。
［Ｃ３５］
前記アクティビティ閾値は、ある時間期間にわたって前記アンライセンススペクトルにおいて送信される同期（ＳＹＮＣ）サブフレームの数を備える、Ｃ３１に記載のコンピュータプログラム製品。
［Ｃ３６］
ワイヤレス通信のための方法であって、
アンライセンススペクトルにおける公称帯域幅占有率を上げるインターリーブされた信号に基づいて、物理アップリンク制御チャネル（ＰＵＣＣＨ）信号と物理アップリンク共有チャネル（ＰＵＳＣＨ）信号の１つまたは両方を生成することと、
前記生成された信号を前記アンライセンススペクトルにおいて送信することと、
を備える方法。
［Ｃ３７］
前記インターリーブされた信号は、インターリーブされた直交周波数分割多重化（Ｉ−ＯＦＤＭ）波形を備える、Ｃ３６に記載の方法。
［Ｃ３８］
前記インターリーブされた信号は、インターリーブされた周波数分割多重化（ＩＦＤＭ）波形を備える、Ｃ３６に記載の方法。
［Ｃ３９］
ワイヤレス通信のための装置であって、
アンライセンススペクトルにおける公称帯域幅占有率を上げるインターリーブされた信号に基づいて、物理アップリンク制御チャネル（ＰＵＣＣＨ）信号と物理アップリンク共有チャネル（ＰＵＳＣＨ）信号の１つまたは両方を生成するための手段と、
前記生成された信号を前記アンライセンススペクトルにおいて送信するための手段と、
を備える装置。
［Ｃ４０］
前記インターリーブされた信号は、インターリーブされた直交周波数分割多重化（Ｉ−ＯＦＤＭ）波形を備える、Ｃ３９に記載の装置。
［Ｃ４１］
前記インターリーブされた信号は、インターリーブされた周波数分割多重化（ＩＦＤＭ）波形を備える、Ｃ３９に記載の装置。
［Ｃ４２］
ワイヤレス通信のための装置であって、
プロセッサと、
前記プロセッサと電気的に通信しているメモリと、
前記メモリに記憶された命令と、
を備え、前記命令は、
アンライセンススペクトルにおける公称帯域幅占有率を上げるインターリーブされた信号に基づいて、物理アップリンク制御チャネル（ＰＵＣＣＨ）信号と物理アップリンク共有チャネル（ＰＵＳＣＨ）信号の１つまたは両方を生成し、
前記生成された信号を前記アンライセンススペクトルにおいて送信するように、
前記プロセッサによって実行可能である、装置。
［Ｃ４３］
前記インターリーブされた信号は、インターリーブされた直交周波数分割多重化（Ｉ−ＯＦＤＭ）波形を備える、Ｃ４２に記載の装置。
［Ｃ４４］
前記インターリーブされた信号は、インターリーブされた周波数分割多重化（ＩＦＤＭ）波形を備える、Ｃ４２に記載の装置。
［Ｃ４５］
ワイヤレス通信システムにおけるワイヤレス通信装置による通信のためのコンピュータプログラム製品であって、前記ワイヤレス通信装置に、
アンライセンススペクトルにおける公称帯域幅占有率を上げるインターリーブされた信号に基づいて、物理アップリンク制御チャネル（ＰＵＣＣＨ）信号と物理アップリンク共有チャネル（ＰＵＳＣＨ）信号の１つまたは両方を生成させ、
前記生成された信号を前記アンライセンススペクトルにおいて送信させるように、
プロセッサによって実行可能な命令を記憶した、非一時的コンピュータ可読媒体を備える、コンピュータプログラム製品。
［Ｃ４６］
前記インターリーブされた信号は、インターリーブされた直交周波数分割多重化（Ｉ−ＯＦＤＭ）波形を備える、Ｃ４５に記載のコンピュータプログラム製品。
［Ｃ４７］
前記インターリーブされた信号は、インターリーブされた周波数分割多重化（ＩＦＤＭ）波形を備える、Ｃ４５に記載のコンピュータプログラム製品。
［Ｃ４８］
ワイヤレス通信のための方法であって、
アンライセンススペクトルにおける公称帯域幅占有率を上げるインターリーブされた信号に基づいて、物理アップリンク制御チャネル（ＰＵＣＣＨ）信号と物理アップリンク共有チャネル（ＰＵＳＣＨ）信号の１つまたは両方を前記アンライセンススペクトルにおいて受信することを備える、方法。
［Ｃ４９］
前記インターリーブされた信号は、インターリーブされた直交周波数分割多重化（Ｉ−ＯＦＤＭ）波形を備える、Ｃ４８に記載の方法。
［Ｃ５０］
前記インターリーブされた信号は、インターリーブされた周波数分割多重化（ＩＦＤＭ）波形を備える、Ｃ４８に記載の方法。
［Ｃ５１］
ワイヤレス通信のための装置であって、
アンライセンススペクトルにおける公称帯域幅占有率を上げるインターリーブされた信号に基づいて、物理アップリンク制御チャネル（ＰＵＣＣＨ）信号と物理アップリンク共有チャネル（ＰＵＳＣＨ）信号の１つまたは両方を前記アンライセンススペクトルにおいて受信するための手段を備える、装置。
［Ｃ５２］
前記インターリーブされた信号は、インターリーブされた直交周波数分割多重化（Ｉ−ＯＦＤＭ）波形を備える、Ｃ５１に記載の装置。
［Ｃ５３］
前記インターリーブされた信号は、インターリーブされた周波数分割多重化（ＩＦＤＭ）波形を備える、Ｃ５１に記載の装置。
［Ｃ５４］
ワイヤレス通信のための装置であって、
プロセッサと、
前記プロセッサと電気的に通信しているメモリと、
前記メモリに記憶された命令と、
を備え、前記命令は、
アンライセンススペクトルにおける公称帯域幅占有率を上げるインターリーブされた信号に基づいて、物理アップリンク制御チャネル（ＰＵＣＣＨ）信号と物理アップリンク共有チャネル（ＰＵＳＣＨ）信号の１つまたは両方を前記アンライセンススペクトルにおいて受信するように、
前記プロセッサによって実行可能である、装置。
［Ｃ５５］
前記インターリーブされた信号は、インターリーブされた直交周波数分割多重化（Ｉ−ＯＦＤＭ）波形を備える、Ｃ５４に記載の装置。
［Ｃ５６］
前記インターリーブされた信号は、インターリーブされた周波数分割多重化（ＩＦＤＭ）波形を備える、Ｃ５４に記載の装置。
［Ｃ５７］
ワイヤレス通信システムにおけるワイヤレス通信装置による通信のためのコンピュータプログラム製品であって、前記ワイヤレス通信装置に、
アンライセンススペクトルにおける公称帯域幅占有率を上げるインターリーブされた信号に基づいて、物理アップリンク制御チャネル（ＰＵＣＣＨ）信号と物理アップリンク共有チャネル（ＰＵＳＣＨ）信号の１つまたは両方を前記アンライセンススペクトルにおいて受信させるように、プロセッサによって実行可能な命令を記憶した、非一時的コンピュータ可読媒体を備える、コンピュータプログラム製品。
［Ｃ５８］
前記インターリーブされた信号は、インターリーブされた直交周波数分割多重化（Ｉ−ＯＦＤＭ）波形を備える、Ｃ５７に記載のコンピュータプログラム製品。
［Ｃ５９］
前記インターリーブされた信号は、インターリーブされた周波数分割多重化（ＩＦＤＭ）波形を備える、Ｃ５７に記載のコンピュータプログラム製品。